(57)【特許請求の範囲】
【請求項１】
複数種類の小ピースの部品から作業者が選択した部品を部品特定手段で特定することにより、当該部品の実装を支援する部品実装支援装置の部品収容器において、
支持軸が突設されたベースと、
ベースに一端面を対向させた状態で上記支持軸回りにベースと相対的に回動可能に配置され、上記部品を種類毎に分類して収容するための複数の収容室を上記支持軸回りに区画しているとともに、ベースと反対側の端面に各収容室が開口している収容ケースと、
収容ケースの各収容室毎に設けられ、前記開口を開閉するための複数の蓋部材と、
上記蓋部材を開放方向に付勢する付勢部材と、
上記支持軸の突設端側に固定され、上記収容ケースのベースと反対側の端面に対向していて、各収容室に設けられた上記複数の蓋部材のうち、１つの蓋部材以外は開かないようにする環状のストッパと、
上記ストッパに形成され、上記収容ケースが回動されて任意の１つの蓋部材が対向したときに、その蓋部材が開放可能な開放端とを備え、
任意の１つの蓋部材が上記開放端に対向する位置になったとき、上記付勢部材に付勢されて蓋部材が開放され、それによって、開いた蓋部材のエッジと開放端とが干渉することによって上記収容ケースの回動が阻止されるロック状態となり、さらに、
上記蓋部材にそれぞれ設けられ、開いた蓋部材を上記付勢部材に抗して閉じさせ、上記ロック状態を解除するための操作部と、を備えていることを特徴とする部品実装支援装置の部品収容器。
【請求項２】
複数種類の小ピースの部品から作業者が選択した部品を部品特定手段で特定することにより、当該部品の実装を支援する部品実装支援装置の部品収容器において、
上記小ピースの部品を種類毎に分類して収容するための複数の収容室を環状に区画し、その中心線方向一端側に各収容室が開口している固定側の収容ケースと、
上記収容ケースの一端側に備えられた円板であって、円板の外周縁沿いに各収容室に対応して形成された複数の位置決め孔を有し、一部に切欠が形成され、位相検出部材および回転軸を介して収容ケースに取付けられ、収容ケースと相対的に回転可能で、切欠が収容室開口に対向すると、切欠に対向した収容室が開放される円板状の蓋手段と、
収容ケースの一端側に備えられたロック用昇降ピンであって、付勢部材で上昇位置に付勢されており、上昇位置で円板に形成された複数の位置決め孔のいずれかに挿入されて円板の回転をロックし、ピンが挿入されている位置決め孔に対応した収容室に切欠を対向させて収容室を開放させた状態にロックするロック手段と、
ロック手段の付勢部材に抗して昇降ピンを降下させてピンを位置決め孔から外し、円板を回転可能にする押込みロッドを有するロック解除手段とを備えていることを特徴とする部品実装支援装置の部品収容器。
【発明の詳細な説明】
【０００１】
【発明の属する技術分野】
本発明は部品実装支援装置の部品収容器に関する。
【０００２】
【従来の技術】
一般にワイヤハーネスに代表されるような電気配線装置は、電線束に接続されるコネクタ、或いはヒューズボックスやヒューズボックスに挿着されるブレード型ヒューズ等、多種の部品を電線束に実装することにより製造される。
上記部品を実装する際には、所定の部品ケースに収容されている複数種類（品番）の部品群から、実装されるべき部品を作業者が選択して取り出していた。
このとき作業者が部品の種類を誤らないように、従来より、複数種類の部品を特定する手段と、特定された部品が実装されるべき箇所を表示する表示手段とを含む部品実装支援装置が開発されてきた。
【０００３】
【発明が解決しようとする課題】
上述のような支援装置においては、部品を特定する手段が確実に作業者が選択した部品を検出し、これを特定する必要がある。
しかしながら、外寸が比較的小さい小ピースの部品の場合、選択された部品を特定することが困難な場合も多かった。
【０００４】
例えば、ヒューズボックスに挿着されるブレード型ヒューズの場合、個々の部品が小さいものであるから、これを逐一検出することは困難であった。そのため部品の種類によっては、依然、作業者が自己の注意力で種類（品番）の相違をチェックしなければならず、ヒューマンエラーを避けることができなかった。
本発明は上記不具合に鑑みてなされたものであり、小ピースの部品の種類特定を確実に行なうことのできる部品実装支援装置の部品収容器を提供することを課題としている。
【０００５】
【課題を解決するための手段】
上記課題を解決するために、本発明は、複数種類の小ピースの部品から作業者が選択した部品を部品特定手段で特定することにより、当該部品の実装を支援する部品実装支援装置の部品収容器において、支持軸が突設されたベースと、ベースに一端面を対向させた状態で上記支持軸回りにベースと相対的に回動可能に配置され、上記部品を種類毎に分類して収容するための複数の収容室を上記支持軸回りに区画しているとともに、ベースと反対側の端面に各収容室が開口している収容ケースと、収容ケースの各収容室毎に設けられ、前記開口を開閉するための複数の蓋部材と、上記蓋部材を開放方向に付勢する付勢部材と、上記支持軸の突設端側に固定され、上記収容ケースのベースと反対側の端面に対向していて、各収容室に設けられた上記複数の蓋部材のうち、１つの蓋部材以外は開かないようにする環状のストッパと、上記ストッパに形成され、上記収容ケースが回動されて任意の１つの蓋部材が対向したときに、その蓋部材が開放可能な開放端とを備え、任意の１つの蓋部材が上記開放端に対向する位置になったとき、上記付勢部材に付勢されて蓋部材が開放され、それによって、開いた蓋部材のエッジと開放端とが干渉することによって上記収容ケースの回動が阻止されるロック状態となり、さらに、上記蓋部材にそれぞれ設けられ、開いた蓋部材を上記付勢部材に抗して閉じさせ、上記ロック状態を解除するための操作部と、を備えていることを特徴とする部品実装支援装置の部品収容器である。
【０００６】
この特定事項を含む発明では、収容ケースの各収容室に、小ピースの部品が種類毎に分類して収容される。各収容室は、蓋手段によって択一的に開放されるので、作業者は、択一的に開放された収容室のみから部品を取り出すことになる。そして、開放された収容室が特定された状態で収容ケースがロックされるので、実装作業中に収容室が不本意に切り換わるのを防止できる。他方、作業者は、操作部を操作することにより、収容ケースのロックを解除し、別の種類の部品を選択することができる。
【０００７】
本発明の別の態様は、複数種類の小ピースの部品から作業者が選択した部品を部品特定手段で特定することにより、当該部品の実装を支援する部品実装支援装置の部品収容器において、上記小ピースの部品を種類毎に分類して収容するための複数の収容室を環状に区画し、その中心線方向一端側に各収容室が開口している固定側の収容ケースと、上記収容ケースの一端側に備えられた円板であって、円板の外周縁沿いに各収容室に対応して形成された複数の位置決め孔を有し、一部に切欠が形成され、位相検出部材および回転軸を介して収容ケースに取付けられ、収容ケースと相対的に回転可能で、切欠が収容室開口に対向すると、切欠に対向した収容室が開放される円板状の蓋手段と、収容ケースの一端側に備えられたロック用昇降ピンであって、付勢部材で上昇位置に付勢されており、上昇位置で円板に形成された複数の位置決め孔のいずれかに挿入されて円板の回転をロックし、ピンが挿入されている位置決め孔に対応した収容室に切欠を対向させて収容室を開放させた状態にロックするロック手段と、ロック手段の付勢部材に抗して昇降ピンを降下させてピンを位置決め孔から外し、円板を回転可能にする押込みロッドを有するロック解除手段とを備えていることを特徴とする部品実装支援装置の部品収容器である。
【０００８】
この特定事項を含む発明においても、ロック手段により、開放された収容室が特定された状態で蓋手段がロックされるので、実装作業中に収容室が不本意に切り換わるのを防止できる。他方、作業者は、ロック解除手段の操作部を操作することにより、上記ロック手段による蓋手段のロックを解除し、別の種類の部品を選択することができる。さらに、この特定事項では、収容ケースが固定され、蓋手段が回転するので、収容ケースの収容量を多く設定したり、比較的部品が重いものであっても、何ら支障なく開放される収容室の切換を行なうことができる。
【０００９】
【発明の実施の形態】
以下、添付図面を参照しながら、本発明の好ましい実施の形態について詳述する。なお、以下の例では、小ピースの部品としてヒューズ３を例示しているが、小ピースの部品としては、その他、チューブやクランプ付バンド等であってもよい。
【００１０】
図１は本発明の実施の一形態における部品収容器１０を採用した部品実装支援装置Ａの概略構成を示す斜視図である。
同図を参照して、部品実装支援装置Ａは、ヒューズボックス１のヒューズ挿着孔２内に、それぞれ予め定められたブレード型ヒューズ３を挿着する際に、各ヒューズ３の種類を特定して、挿着位置を表示することにより、実装支援をするものである。
【００１１】
部品実装支援装置Ａは、上記ヒューズボックス１のヒューズ挿着孔２に挿着されるべきブレード型ヒューズ３を表示して、挿着部位を指示する指示板４を含んでいる。各指示板４は、ヒューズボックス１にブレード型ヒューズ３を挿着する際のゲージ板となるものであり、ヒューズボックス１にあてがって仮止め可能に構成されているとともに、ヒューズ挿着孔２に対応する挿通孔５と、各挿通孔５毎に設けられ、それぞれ対応するヒューズの種類を表示する表示ランプ６とを含んでいる。
【００１２】
部品実装支援装置Ａは、表示ランプ６を制御ライン７を介して制御する制御装置８を備えている。制御装置８は、制御ライン９を介して本発明の骨子である部品収容器１０と接続されており、部品収容器１０で択一的に選択されたブレード型ヒューズ３の種類を識別して、指示板４の対応する表示ランプ６を点灯するように構成されている。図示の例において、１０Ａは交流電源用のコンセント、１０Ｂは電源スイッチ、１０Ｃは電源ランプ、１０Ｄは表示用ディスプレイ、１０Ｅは品番設定スイッチ、１０Ｆは入力用キーボード、１０Ｇは報知ブザー、１０Ｈはリセットボタン、１０Ｊはリモートリセットスイッチである。
【００１３】
なお、具体的には図示していないが、指示板４の各挿通孔５には、ブレード型ヒューズ３の有無を検出するリミットスイッチが設けられており、このリミットスイッチの信号を制御装置８に送ることによって、全てのブレード型ヒューズ３が挿着されたか否かを管理できるようになっている。
図２は図１の部品実装支援装置Ａに採用されている部品収容器１０の外観構成を示す斜視図であり、図３は図１の部品実装支援装置Ａに採用されている部品収容器１０の断面部分略図である。
【００１４】
これらの図も参照して、部品収容器１０は、円板形状のベース１１を備えている。このベース１１には、筒軸１２が固定されている。筒軸１２は、図示の実施の形態において、支持軸を構成するものであり、下端部にフランジプレート１２Ａを同心に備えている。そして、このフランジプレート１２Ａをベース１１にビス止めすることにより、筒軸１２はベース１１と一体に固定されている。
【００１５】
筒軸１２には、ブレード型ヒューズ３を収容するための収容ケース１３が挿着されている。収容ケース１３は、筒軸１２回りに回転自在に取り付けられるボス部１３Ａを中心として上向きに開く略深皿形状に形成されており、その周壁１３Ｂの内部空間は、放射方向に延びる複数の仕切り板１３Ｃによって、円周方向に等分割されているとともに、上端部が開口している収容室１３Ｅを区画している。そして、各収容室１３Ｅ内には、ブレード型ヒューズ３が、種類毎に分類され、収容されている。
【００１６】
収容ケース１３の底部には、部品特定手段としての位相検出部材１４が取り付けられており、各収容室１３Ｅの位相を検出し、上記制御装置８に出力することができるようになっている。位相検出部材１４としては、例えば複数のリミットスイッチを、位相をずらして配置し、対応するドグスイッチで回転方向と検出位置を検出できるようにすればよい。
【００１７】
図示の具体例において、収容ケース１３の周壁１３Ｂおよび仕切り板１３Ｃは、上記ボス部１３Ａよりも僅かに低くなっているとともに、周壁１３Ｂの外周上端部には、フランジ１３Ｆが一体形成されている。そして、収容ケース１３には、ボス部１３Ａを中心に収容室１３Ｅ毎に対応する略扇形の蓋部材１５が配置され、ヒンジ１６でボス部１３Ａに連結されている。これにより各収容室１３Ｅは、蓋部材１５によって個別に開閉されるようになっている。
【００１８】
次に上記筒軸１２には、これに溶接される固定軸１７が嵌入しており、その上端部が僅かに筒軸１２から突出している。そして、固定軸１７の上端部には、概ね環状のストッパ２０が同心に固定されている。図２によく示すように、ストッパ２０は、固定軸１７（図３参照）に直接固定されているコアディスク部２１と、コアディスク部２１の外周に同心に配置されたＣ字部２２と、両者を連結する連結部２３とを一体に有する板金打ち抜き製品である。図３に示すように、コアディスク部２１に対して、Ｃ字部２２は、閉じた状態にある蓋部材１５と当接する位置まで下側に下がっている。これによって蓋部材１５は、Ｃ字部２２によって通常は閉じた状態に維持されている。また、Ｃ字部２２とコアディスク部２１との高低差により、連結部２３のヒンジ１６との干渉が防止されている。
【００１９】
図２によく示すように、Ｃ字部２２の開放端２４は、一つの蓋部材１５が開くのに必要充分な間隔Ｌを隔てている。従って、各蓋部材１５は、開放端２４に位置するものだけが開放可能になっている。これにより、図示の実施の形態では、蓋手段が構成されている。図示の実施の形態において、Ｃ字部２２の開放端２４には、概ね放射状に延びてコアディスク部２１と連続する当接板部２５が切り起こし加工により形成されており、これによって開放端２４に位置する蓋部材１５が開いた場合にこれを当接させて受けるようになっている。
【００２０】
次に、図４および図５を参照して、上述した部品収容器１０に採用されているロック手段およびロック解除手段について説明する。図４は図２の要部を拡大して示す一部破断斜視図であり、図５は図２の要部を示す断面略図であって（Ａ）はロック状態、（Ｂ）はロック解除状態をそれぞれ示している。
これらの図並びに図３を参照して、上述した収容ケース１３の周壁１３Ｂに形成されたフランジ１３Ｆには、各収容室１３Ｅに対応して、連結シャフト２６が垂下しており、この連結シャフト２６の下端に固定されたピン２７とフランジ１３Ｆとの間には、昇降板２８が連結シャフト２６に沿って上下に昇降可能に取り付けられている。昇降板２８上には、一対の昇降ピン２９が立設されている。昇降ピン２９は、昇降板２８上に固定された大径部２９Ａと、大径部２９Ａの上端から同心に延びる小径部２９Ｂとを一体に有している。
【００２１】
他方、フランジ１３Ｆには、小径部２９Ｂのみ挿通を許容する挿通孔２９Ｃが形成されている。
さらに、上記連結シャフト２６の外周には、引っ張りコイルばね３０が配置されており、その一端部がフランジ１３Ｆに固定されているとともに、他方が昇降板２８に固定されている。この結果、昇降ピン２９は、常時上側に付勢され、その小径部２９Ｂは、挿通孔２９Ｃを介して上方へ突出しようとしている。
【００２２】
ここで、図示の実施の形態では、蓋部材１５の自由端側が上記挿通孔２９Ｃを介して昇降ピン２９の小径部２９Ｂと対向している。従って、蓋部材１５は、小径部２９Ｂによって、常時開く方向に付勢されている。
さらに、上述したように、各蓋部材１５は、ストッパ２０によって、一つのものしか開くことができなくなっている。この結果、図５（Ａ）に示すように、ストッパ２０の開放端２４に位置する蓋部材１５についてのみ、昇降ピン２９の小径部２９Ｂが蓋部材１５を押し上げることができる一方、残余の蓋部材１５については、図５（Ｂ）に示すように、引っ張りコイルばね３０の付勢力に抗して、昇降ピン２９を押し下げている状態になっている。
【００２３】
加えて、一の蓋部材１５がストッパ２０の開放端２４に対向することによって押し上げられることにより、蓋部材１５のエッジが開放端２４の当接板部２５と当接することにより、蓋部材１５を完全に開かなくても、収容ケース１３の回動が阻止される（図３の仮想線参照）。これにより、収容ケース１３のロックが達成される。
【００２４】
他方、収容ケース１３を回動させたい場合には、開放端２４のところに位置する蓋部材１５を押さえ込んで蓋部材１５とストッパ２０の当接板部２５との係合を解除し、そのまま収容ケース１３を回動させるだけでよい。このような操作を容易ならしめるために、図示の実施の形態では、各蓋部材１５に操作部としてのハンドル３１を取り付けている。但し、この実施の形態では、ハンドル３１を省略することが可能であり、その場合には、蓋部材１５の上面が操作部になる。
【００２５】
さらに、上述した位相検知部材１４（図１参照）は、開放端２４に位置する収容室１３Ｅを検出し、これを制御装置８に出力する。これにより、作業者が取り出すことのできる部品の特定を行なうことが可能になる。
次に、上述した実施の形態の作用について説明する。
先ず、図１を参照して、以上の構成では、作業者が指示板４をヒューズボックス１にあてがって仮止めした状態でブレード型ヒューズ３を部品収容器１０から取り出す。制御装置８は、部品収容器１０から取り出されたブレード型ヒューズ３を特定し、指示板４の表示ランプ６のうち、作業者が取り出したブレード型ヒューズ３に対応するものを点灯する。作業者は、点灯している表示ランプ６に対応する挿通孔５に挿通する。これにより、ブレード型ヒューズ３がヒューズボックス１の挿着孔２内に導入されて挿着される一方、挿通孔５に付設された図示しないリミットスイッチにより、ブレード型ヒューズ３が挿着されたことが制御装置８に出力され、全ての挿着作業が終了すると、制御装置８は、挿着作業の終了を表示する。
【００２６】
ここで、上述した実施の形態における部品収容器１０では、ストッパ２０の開放端２４や昇降ピン２９、並びに引っ張りコイルばね３０等がロック手段として作用し、蓋手段としての蓋部材１５を択一的に開放可能にした状態で収容ケース１３をロックする。
他方、作業者が次のヒューズ３を選択したい場合には、ハンドル３１を把持して蓋部材１５の自由端を押さえ込み、ストッパ２０の開放端２４と当該開放端２４内に位置している蓋部材１５との係合を解除した状態で収容ケース１３を回動させることにより、収容ケース１３はスムーズに回動し、回転方向において後続する隣の蓋部材１５が再び開放端２４のところで浮き上がる。
【００２７】
これにより、作業者は、この後続する隣の蓋部材１５のみを開放し、次の種類のヒューズ３を取り出すことができるようになる。
次に、図６以下に示す別の実施の形態について説明する。図６は本発明の別の実施の形態における部品収容器５０の外観構成を示す斜視図であり、図７は図６の断面部分略図、図８は図６の断面部分略図であって、（Ａ）はロック状態、（Ｂ）はロック解除状態を示している。なお、以下の説明では、図２の実施の形態と同等の部材には同一の符号を付し、説明を省略している。
【００２８】
これらの図を参照して、同図に示す別の実施の形態においては、蓋部材１５およびストッパ２０に代えて、一部に切欠５２が形成された円板５１が蓋手段として採用されている。図示の実施の形態において、円板５１は、図７に示すように、ロータリエンコーダによって具体化された位相検出部材１４および回転軸４２を介してベース１１に取り付けられおり、これによって、ベース１１に対し、相対的に回転できるように構成されている。これに対し、収容ケース１３は、ベース１１と一体的に固定されている。
【００２９】
円板５１の直径は、収容ケース１３のフランジ１３Ｆよりも小さく設定されている。また、円板５１の切欠５２は、収容ケース１３の収容室開口部分に対応する扇形に形成されており、収容ケース１３の収容室１３Ｅを択一的に開放可能な形状および寸法に設定されている。
次に、図示の実施の形態においては、上述した昇降プレート２８やそれに付随する一対の昇降ピン２９等が１組のみ設けられており、これらがこの実施の形態において、ロック手段の要部を構成している。一対の昇降ピン２９は、円板５１の直下に位置する同一円周上に沿って配設されている一方、円板５１の各昇降ピン２９と対向する円周上には、各収容室１３Ｅに対応して、二つ一組ずつ設けられた位置決め孔５１Ａが形成されている。そして図８（Ｂ）のロック解除状態から円板５１が回転し、図８（Ａ）に示すように、何れかの位置決め孔５１Ａの一組に一対の昇降ピン２９が嵌合することにより、何れか一つの収容室１３Ｅが円板５１の切欠５２と対向するようになっている。なお、図示の例では、切欠５２が昇降ピン２９と対向する位置にある場合には、各昇降ピン２９が切欠５２のエッジと係合して、位置決めがなされるようになっている。また、これとは別に、切欠５１Ａの外周側に、他の位置決め孔５１Ａと同一円周上に沿う連結部を設け、連結部に位置決め孔５１Ａを設けるようにしてもよい。
【００３０】
次に、昇降ピン２９のロックを解除するために、昇降ピン２９を支持している昇降板２８には、押込みロッド５３が立設されている。押込みロッド５３は、収容ケース１３のフランジ１３Ｆに形成された貫通孔５４を貫通し、上方に突出しているとともに、その上端部には、操作部としてのハンドル３１が取り付けられている。なお、この実施の形態を具体化するに当たり、ハンドル３１（押込みロッド５３）と円板５１との干渉を避けるために、押込みロッド５３の取り付け位置が円板５１よりも外方に配置されている。従って、図８（Ｂ）に示すように、ハンドル３１を把持して押込みロッド５３を押し下げることにより、昇降ピン２９は、昇降板２８とともに下方に下がり、円板５１を回転可能に解放している。
【００３１】
図示の実施の形態に示すように、円板５１を貫通する位置決め孔５１Ａを採用した場合には、昇降ピン２９が位置決め孔５１Ａに嵌合しているか否かを目視することができるので、ロックが正規にかかっているか否かを確認することができる。しかし、昇降板２８にその昇降位置を検出可能なリミットスイッチＳＷを設けておくことにより、電気的にもロックが正規にかかっているか否かを検出し、位相検出部材１４の誤検出を確実に防止することが可能になる。
【００３２】
以上の構成では、図８（Ａ）に示すロック状態から、ハンドル３１を把持して押込みロッド５３を押し下げることにより、図８（Ｂ）に示すように昇降ピン２９と円板５１の切欠５２との係合（ロック）を解除し、円板５１を回転させて、所望の収容室１３Ｅを切欠５２を介して開放させ、再度、図８（Ａ）に示すようにロックすることができる。
【００３３】
以上説明したように、上述した実施の各形態においては、収容ケース１３に形成された複数の収容室１３Ｅを択一的に開放するとともに、開放された収容室１３Ｅが特定された状態で収容ケース１３がロックされるので、実装作業中に小ピースの部品（ヒューズ３）の種類特定を確実に行なうことができるという顕著な効果を奏する。
【００３４】
しかも、特定された小ピースの部品を実装するに当たり、実装作業中においては、収容ケース１３が不本意に回動することを防止できるとともに、部品の選択時には、自在に別の種類の部品を選択することができるので、確実な部品の特定と良好な操作性を両立させることができるという利点がある。
また、図６以下の構成では、収容ケース１３が固定されているので、収容ケース１３の直径を大きく設定して収容量や収容可能な部品の種類を増加させたりすることができるという利点がある。
【００３５】
上述した実施の形態は本発明の好ましい具体例を例示したものに過ぎず、本発明は上述した実施の形態に限定されない。本発明の特許請求の範囲内で種々の設計変更が可能であることは云うまでもない。
【００３６】
【発明の効果】
以上説明したように、本発明によれば、収容ケースに形成された複数の収容室を択一的に開放することができるとともに、開放された収容室が特定された状態で収容ケースがロックされるので、実装作業中に小ピースの部品の種類特定を確実に行なうことができるという顕著な効果を奏する。
【図面の簡単な説明】
【図１】本発明の実施の一形態における部品収容器を採用した部品実装支援装置の概略構成を示す斜視図である。
【図２】図１の部品実装支援装置に採用されている部品収容器の外観構成を示す斜視図である。
【図３】図１の部品実装支援装置に採用されている部品収容器の断面部分略図である。
【図４】図４は図２の要部を拡大して示す一部破断斜視図である。
【図５】図２の要部を示す断面略図であって（Ａ）はロック状態、（Ｂ）はロック解除状態をそれぞれ示している。
【図６】本発明の別の実施の形態における部品収容器の外観構成を示す斜視図である。
【図７】図７は図６の断面部分略図である。
【図８】図６の断面部分略図であって（Ａ）はロック状態、（Ｂ）はロック解除状態を示している。
【符号の説明】
Ａ    部品実装支援装置
１０    部品収容器
１１    収容器
１２    筒軸（支持軸）
１３    収容ケース
１３Ｅ  収容室
１５    蓋部材（蓋手段の一例）
２０    ストッパ
２８    昇降板
２９    昇降ピン（ロック手段の要部）
３１    ハンドル（操作部）
５０    部品収容器
５１    円板（蓋手段の一例）
５２    切欠
【図１】
0003807006.tif 000002
【図２】
0003807006.tif 000003
【図３】
0003807006.tif 000004
【図４】
0003807006.tif 000005
【図５】
0003807006.tif 000006
【図６】
0003807006.tif 000007
【図７】
0003807006.tif 000008
【図８】
0003807006.tif 000009